(57)【要約】【課題】無駄なプレゼンス情報の登録処理を防止しつつ、プレゼンス情報の登録処理を好適に行うことができるようにする。【解決手段】本発明に係る情報処理装置に適用可能な携帯端末２においては、プレゼンス管理部１３は、プレゼンス利用者確認要求を生成し、プレゼンス通信部１２は、プレゼンス利用者確認要求をプレゼンスサーバに送信し、プレゼンスサーバから送信されてきたプレゼンス利用者確認要求に対する応答であるプレゼンス利用者確認応答を受信し、プレゼンス管理部１３は、プレゼンス利用者確認応答に含まれるプレゼンス利用者に関する情報に基づいて、プレゼンス利用状態管理情報１６を更新し、プレゼンス利用状態管理情報１６に基づいて、携帯端末２のプレゼンスを利用する他の携帯端末２が存在するか否かを判定し、判定結果に基づいて、プレゼンスの通知に関するモードを決定する。【選択図】  図２
2008197843.tif 000002
【特許請求の範囲】
【請求項１】
プレゼンス利用者の確認を要求するためのプレゼンス利用者確認要求を生成し、生成された前記プレゼンス利用者確認要求を情報管理装置に送信する第１の送信手段と、
前記情報管理装置から送信されてきた前記プレゼンス利用者確認要求に対する応答であるプレゼンス利用者確認応答を受信する受信手段と、
前記受信手段により受信された前記プレゼンス利用者確認応答に含まれる前記プレゼンス利用者に関する情報に基づいて、前記プレゼンス利用者の状態に関する情報を更新する更新手段と、
前記更新手段により更新された前記プレゼンス利用者の状態に関する情報に基づいて、情報処理装置のプレゼンスを利用する他の情報処理装置が存在するか否かを判定する第１の判定手段と、
前記第１の判定手段による判定結果に基づいて、プレゼンスの通知に関するモードを決定する決定手段とを備えることを特徴とする情報処理装置。
【請求項２】
前記第１の判定手段により情報処理装置のプレゼンスを利用する他の情報処理装置が存在すると判定された場合、前記決定手段は、前記プレゼンスの通知に関するモードを、プレゼンスの通知を実行するプレゼンス通知実行モードに決定し、
前記第１の判定手段により情報処理装置のプレゼンスを利用する他の情報処理装置が存在しないと判定された場合、前記決定手段は、前記プレゼンスの通知に関するモードを、プレゼンスの通知を休止するプレゼンス通知休止モードに決定することを特徴とする請求項１に記載の情報処理装置。
【請求項３】
前記決定手段によりプレゼンスの通知を実行するプレゼンス通知実行モードに決定されたとき、前記情報処理装置のプレゼンス情報を生成する生成手段と、
前記生成手段により生成された前記プレゼンス情報を用いて、プレゼンス情報の登録を要求するためのプレゼンス登録要求を生成し、生成された前記プレゼンス登録要求を前記情報管理装置に送信する第２の送信手段をさらに備えることを特徴とする請求項１に記載の情報処理装置。
【請求項４】
前記決定手段によりプレゼンスの通知を休止するプレゼンス通知休止モードに決定されたとき、前記プレゼンス通知休止モードを指示する指示情報を表示する表示手段をさらに備えることを特徴とする請求項１に記載の情報処理装置。
【請求項５】
プレゼンスを通知するか否かの設定に関する情報であるプレゼンス通知設定情報を記憶する記憶手段と、
前記第１の判定手段により情報処理装置のプレゼンスを利用する他の情報処理装置が存在すると判定された場合、前記記憶手段により記憶されている前記プレゼンス通知設定情報を参照して、前記受信手段により受信された前記プレゼンス利用者確認応答に含まれるアドレスに関する情報に基づいて、前記他の情報処理装置に関し、プレゼンスの通知をするか否かを判定する第２の判定手段とをさらに備え、
前記決定手段は、前記第２の判定手段による判定結果に基づいて、プレゼンスの通知に関するモードを決定することを特徴とする請求項１に記載の情報処理装置。
【発明の詳細な説明】
【技術分野】
【０００１】
本発明は情報処理装置に係り、特に、プレゼンスサーバにプレゼンス情報を登録することができるようにした情報処理装置に関する。
【背景技術】
【０００２】
近年、ネットワークを介して接続された複数の携帯端末（例えば携帯電話機やＰＤＡ（Personal Digital Assistant）など）の現在のプレゼンス情報をプレゼンスサーバに逐次登録するとともに、登録された各携帯端末のプレゼンス情報をプレゼンスサーバにおいて管理しておき、プレゼンスサーバに管理されている携帯端末のプレゼンス情報を必要に応じて他の携帯端末に供給する技術が提案されている（例えば特許文献１参照）。
【０００３】
特許文献１に提案されている技術によれば、不必要なプレゼンス情報の登録シーケンスを回避することができる。
【特許文献１】特開２００５−３１８２２１号公報
【発明の開示】
【発明が解決しようとする課題】
【０００４】
しかしながら、特許文献１に提案されている技術では、プレゼンスサーバ側からの携帯端末へのプレゼンス情報の要求を減らすことにより、不必要なプレゼンス情報の登録処理を一応回避することはできるが、携帯端末側からの自発的なプレゼンス情報の登録処理を回避することができるわけではないため、不必要なプレゼンス情報の登録を必ずしも完全に回避することができるわけではないという課題があった。
【０００５】
特に、携帯端末の現在のプレゼンス情報に関して他の携帯端末からの取得要求があるか否かにかかわらず、携帯端末側から自発的に、例えば所定の時間（例えば１０分間など）ごとに現在のプレゼンス情報の登録処理を常に行うようにすると、帯端末の現在のプレゼンス情報に関して他の携帯端末からの取得要求がないときには、このプレゼンス情報の登録処理は全く無駄なものとなってしまう。
【０００６】
また、高いポータビリティ性を有する携帯端末の場合に、ユーザの行動パターン（ユーザコンテキスト）に基づいてプレゼンス情報の登録処理を行うか否かを判定し、この判定結果に基づいてプレゼンス情報の登録処理を行うようにすると、ユーザコンテキストが頻繁に変化するときには、この変化に応じてプレゼンス情報の登録処理も頻繁に行われてしまい、より多くの無駄なプレゼンス情報の登録処理が行われてしまうだけでなく、無駄に多くの電力を消費させてしまう。
【０００７】
本発明は、このような状況に鑑みてなされたものであり、無駄なプレゼンス情報の登録処理を防止しつつ、プレゼンス情報の登録処理を好適に行うことができる情報処理装置を提供することを目的とする。
【課題を解決するための手段】
【０００８】
本発明の情報処理装置は、上述した課題を解決するために、プレゼンス利用者の確認を要求するためのプレゼンス利用者確認要求を生成し、生成されたプレゼンス利用者確認要求を情報管理装置に送信する第１の送信手段と、情報管理装置から送信されてきたプレゼンス利用者確認要求に対する応答であるプレゼンス利用者確認応答を受信する受信手段と、受信手段により受信されたプレゼンス利用者確認応答に含まれるプレゼンス利用者に関する情報に基づいて、プレゼンス利用者の状態に関する情報を更新する更新手段と、更新手段により更新されたプレゼンス利用者の状態に関する情報に基づいて、情報処理装置のプレゼンスを利用する他の情報処理装置が存在するか否かを判定する第１の判定手段と、第１の判定手段による判定結果に基づいて、プレゼンスの通知に関するモードを決定する決定手段とを備えることを特徴とする。
【０００９】
本発明の情報処理装置においては、プレゼンス利用者の確認を要求するためのプレゼンス利用者確認要求が生成され、生成されたプレゼンス利用者確認要求が情報管理装置に送信され、情報管理装置から送信されてきたプレゼンス利用者確認要求に対する応答であるプレゼンス利用者確認応答が受信され、受信されたプレゼンス利用者確認応答に含まれるプレゼンス利用者に関する情報に基づいて、プレゼンス利用者の状態に関する情報が更新され、更新されたプレゼンス利用者の状態に関する情報に基づいて、情報処理装置のプレゼンスを利用する他の情報処理装置が存在するか否かが判定され、判定結果に基づいて、プレゼンスの通知に関するモードが決定される。
【発明の効果】
【００１０】
本発明によれば、無駄なプレゼンス情報の登録処理を防止しつつ、プレゼンス情報の登録処理を好適に行うことができる。
【発明を実施するための最良の形態】
【００１１】
以下、本発明の実施の形態について、図面を参照しながら説明する。
【００１２】
図１は、本発明に係るネットワークシステム１の概略的な構成を表している。
【００１３】
図１に示されるように、ネットワークシステム１には、通信サービスの提供エリアを所望の大きさに分割したセル内にそれぞれ固定無線局である基地局３が設置されている。これらの基地局３には、本発明に係る情報処理装置として適用可能な移動無線局である携帯端末２−１が例えばＷ−ＣＤＭＡと呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００１４】
また、ネットワークシステム１には、無線ＬＡＮのアクセスポイント４が設置されており、このアクセスポイント４には携帯端末２−２が適宜無線接続される。
【００１５】
この基地局３やアクセスポイント４には、ネットワーク５（例えば、インターネット、ＬＡＮ、ＷＡＮ、その他の各種のネットワークを含む）を介して、本発明に係る情報管理装置として適用可能なプレゼンスサーバ６が接続される。
【００１６】
携帯端末２−１乃至２−２は、必要に応じて、現在の端末の状態を示すプレゼンス情報を基地局３またはアクセスポイント４を介してプレゼンスサーバ６に送信する。
【００１７】
なお、携帯端末２−１乃至２−２は、以下において、それぞれを個々に区別する必要がない場合、携帯端末２と総称する。
【００１８】
図２は、図１の携帯端末２の内部の構成を表している。
【００１９】
図２に示されるように、携帯端末２は、通信部１１、プレゼンス通信部１２、プレゼンス管理部１３、プレゼンス自動更新部１４、プレゼンス利用状態管理部１５、操作部１７、プレゼンス状態表示管理部１８、および表示部１９により構成される。
【００２０】
通信部１１は、基地局３やアクセスポイント４、そしてネットワーク５を介してプレゼンスサーバ６と通信処理を行う。プレゼンス通信部１２は、通信部１１を介して接続されているプレゼンスサーバ６との間でプレゼンス通信処理を行う。
【００２１】
プレゼンス管理部１３は、予め記憶されているプレゼンス設定情報（すなわち、プレゼンスサーバ６のＵＲＬやユーザＩＤなどのプレゼンス通信処理に必要な情報）に基づいて、携帯端末２の現在のプレゼンスを示すプレゼンス情報を生成するとともに、生成されたプレゼンス情報を管理し、必要に応じてプレゼンス通信部１２に供給する。
【００２２】
なお、プレゼンス情報には、例えば位置情報、接続されているネットワークに関する情報、通信帯域情報などの種々の情報が含まれている。
【００２３】
プレゼンス自動更新部１４は、携帯端末２のプレゼンス情報を自動更新すると設定されているとき、設定された所定の時間（例えば１０分間）ごとに携帯端末２のプレゼンス情報を新たに生成してプレゼンス管理部１３に供給する。
【００２４】
プレゼンス利用状態確認部１５は、携帯端末２の現在のプレゼンス情報を利用する他の携帯端末２の利用状態（例えば利用数など）を示すプレゼンス利用状態情報１６（例えばプレゼンス利用状態フラグなど）をデータベースに保持するとともに、必要に応じて、保持されているプレゼンス利用状態情報１６に基づき、携帯端末の現在のプレゼンス情報を利用する他の携帯端末２の利用状態を確認し、確認結果をプレゼンス管理部１３に供給する。
【００２５】
操作部１７は、図示せぬ操作キーや操作ボタンなどにより構成される。特に、操作部１７には、ネットワーク５を介してプレゼンスサーバ６と接続し、プレゼンスサーバ６との間でプレゼンス通信処理を開始または終了を指示するための操作キーが設けられており、ユーザは、この操作キーを操作することで、適宜、プレゼンスサーバ６との間でプレゼンス通信処理を開始または終了を指示することが可能である。また、操作部１７には、携帯端末２の現在のプレゼンス情報を、ネットワーク５を介してプレゼンスサーバ６に登録する登録処理の開始を指示するための操作キーが設けられており、ユーザは、この操作キーを操作することで、適宜、携帯端末２の現在のプレゼンス情報を、ネットワーク５を介してプレゼンスサーバ６に登録する登録処理の開始を指示することが可能である。
【００２６】
プレゼンス状態表示管理部１８は、表示部１９による種々の情報の表示を管理する。特に、プレゼンス状態表示管理部１８においては、携帯端末の現在のプレゼンス情報を利用する他の携帯端末２が存在するか否かを示すアイコンなどの表示が管理される。
【００２７】
表示部１９は、ＬＣＤなどからなり、プレゼンス状態表示管理部１８の制御に従い、携帯端末の現在のプレゼンス情報を利用する他の携帯端末２が存在するか否かを示すアイコンなどを表示する。
【００２８】
図３は、図１のプレゼンスサーバ６の内部の構成を表している。
【００２９】
プレゼンスサーバ６は、通信部２１、プレゼンスサーバ制御部２２、クライアント管理部２３、およびプレゼンス利用状態管理部２４により構成される。
【００３０】
通信部２１は、ネットワーク５を介して携帯端末２と通信処理を行う。プレゼンスサーバ制御部２２は、例えばＣＰＵ、ＲＯＭ、およびＲＡＭなどからなり、プレゼンスサーバ６全体を統括的に制御する。クライアント管理部２３は、プレゼンスサーバ６に接続されているクライアントとしての携帯端末２のプレゼンス情報などを管理する。
【００３１】
プレゼンス利用状態管理部２４は、それぞれの携帯端末２ごとにプレゼンス情報を利用する他の携帯端末２の利用状態（例えば利用する携帯端末２の有無や利用数など）が対応付けられて登録されているプレゼンス利用状態管理データベース２５を管理する。
【００３２】
次に、図４のフローチャートを参照して、ユーザにより操作部１７（例えば携帯端末２の現在のプレゼンス情報を、ネットワーク５を介してプレゼンスサーバ６に登録する登録処理の開始を指示するための操作キー）が操作されることにより、携帯端末２の現在のプレゼンス情報を、ネットワーク５を介してプレゼンスサーバ６に登録する登録処理の開始が指示された場合における、携帯端末２とプレゼンスサーバ６との間におけるプレゼンス情報の登録処理の概略について説明する。なお、プレゼンス情報登録処理は、ユーザにより操作部１７（プレゼンスサーバ６との間でプレゼンス通信処理を開始または終了を指示するための操作キー）が操作されることにより、プレゼンスサーバ６との間でプレゼンス通信処理が開始されている。また、各装置の詳細な処理については後述する。
【００３３】
ステップＳ１において、携帯端末２は、ユーザにより操作部１７（例えば携帯端末２の現在のプレゼンス情報を、ネットワーク５を介してプレゼンスサーバ６に登録する登録処理の開始を指示するための操作キー）が操作されることにより、携帯端末２の現在のプレゼンス情報をネットワーク５を介してプレゼンスサーバ６に登録する登録処理の開始が指示されると、携帯端末２の現在のプレゼンス情報を利用する他の携帯端末２の利用者の確認を要求するメッセージであるプレゼンス利用者確認要求メッセージを生成し、ネットワーク５を介してプレゼンスサーバ６に送信する。
【００３４】
プレゼンスサーバ６は、ステップＳ１１でネットワーク５を介して携帯端末２から送信されてきたプレゼンス利用者確認要求メッセージを受信すると、ステップＳ１２において、プレゼンス利用者確認要求メッセージに対する応答であるプレゼンス利用者確認応答メッセージを生成しネットワーク５を介して携帯端末２に送信する。
【００３５】
携帯端末２は、ステップＳ２でネットワーク５を介してプレゼンスサーバ６から送信されてきたプレゼンス利用者確認応答メッセージを受信すると、ステップＳ３において、受信されたプレゼンス確認応答メッセージに含まれる、携帯端末２に対してそのプレゼンス情報を利用する他の携帯端末２の利用状態（例えば利用する携帯端末２の有無や利用数など）に関する情報を取得し、取得されたこれらの情報に基づいて携帯端末２に対してそのプレゼンス情報を利用する他の携帯端末２の有無を判定する（換言すれば、取得されたこれらの情報に基づいて携帯端末２に対してそのプレゼンス情報を利用する他の携帯端末２が少なくとも１つ以上存在するか否かを判定する）。
【００３６】
携帯端末２に対してそのプレゼンス情報を利用する他の携帯端末２が有ると判定された場合、携帯端末２は、プレゼンス通知実行モードとなり、現在の携帯端末２のプレゼンスを示すプレゼンス情報を新たに生成するとともに、生成された新たなプレゼンス情報を用いて、携帯端末２のプレゼンス情報の登録を要求するメッセージであるプレゼンス登録要求メッセージを生成し、ネットワーク５を介してプレゼンスサーバ６に送信する。
【００３７】
プレゼンスサーバ６は、ステップＳ１３でネットワーク５を介して携帯端末２から送信されてきたプレゼンス登録要求メッセージを受信すると、受信されたプレゼンス登録要求メッセージに含まれる携帯端末２の現在のプレゼンスを示す新たなプレゼンス情報を取得し、取得されたプレゼンス情報を登録し、その後、ステップＳ１４において、プレゼンス登録要求メッセージに対する応答であるプレゼンス登録応答メッセージを生成し、生成されたプレゼンス登録応答メッセージをネットワーク５を介して携帯端末２に送信する。
【００３８】
携帯端末２はステップＳ４でネットワーク５を介して送信されてきたプレゼンス登録応答メッセージを受信する。
【００３９】
これにより、プレゼンス情報登録処理は終了する。
【００４０】
一方、携帯端末２のプレゼンス情報を利用する他の携帯端末２が無いと判定された場合（すなわち、携帯端末２に対してそのプレゼンス情報を利用する他の携帯端末２が０であると判定された場合）、携帯端末２は、プレゼンス通知休止モードとなり、現在の携帯端末２のプレゼンスを示すプレゼンス情報を新たに生成せず、プレゼンス登録要求メッセージをプレゼンスサーバ６に送信しない。
【００４１】
次に、図５のフローチャートを参照して、携帯端末２において、この携帯端末２に対してそのプレゼンス情報を利用する他の携帯端末２が無いと判定された場合にプレゼンス通知休止モードとなった後、プレゼンスサーバ６に他の携帯端末２から携帯端末２の現在のプレゼンスの利用を開始するためのプレゼンス利用開始メッセージが送信された場合における、携帯端末２（以下、便宜上、「携帯端末Ａ」という。）、他の携帯端末２（以下、「携帯端末Ｂ」という。）、およびプレゼンスサーバ６との間での処理の概略について説明する。なお、図５のステップＳ２１乃至Ｓ２２、ステップＳ２５、ステップＳ３１乃至Ｓ３２、ステップＳ３５、およびステップＳ３７の処理は、図４のステップＳ１乃至Ｓ２、ステップＳ４、ステップＳ１１乃至Ｓ１４の処理と同様であり、その説明は繰り返しになるので省略する。
【００４２】
ステップＳ４１において、携帯端末Ｂは、携帯端末Ａの現在のプレゼンスの利用を開始するためのプレゼンス利用開始メッセージを、ネットワーク５を介してプレゼンスサーバ６に送信する。
【００４３】
プレゼンスサーバ６は、ステップＳ３３でネットワーク５を介して携帯端末Ｂから送信されてきたプレゼンス利用開始メッセージを受信すると、ステップＳ３４において、携帯端末Ａに対する携帯端末Ｂの利用開始を通知するためのプレゼンス利用開始通知メッセージを生成し、生成されたプレゼンス利用開始通知メッセージをネットワーク５を介して携帯端末Ａに送信する。
【００４４】
携帯端末Ａは、ステップＳ２３でネットワーク５を介してプレゼンスサーバ６から送信されてきたプレゼンス利用開始通知メッセージを受信すると、ステップＳ２４において、プレゼンス通知休止モードからプレゼンス通知実行モードに変更し、現在の携帯端末２のプレゼンスを示すプレゼンス情報を新たに生成するとともに、生成された新たなプレゼンス情報を用いて、携帯端末２のプレゼンス情報の登録を要求するメッセージであるプレゼンス登録要求メッセージを生成し、ネットワーク５を介してプレゼンスサーバ６に送信する。
【００４５】
ステップＳ３６において、プレゼンスサーバ６は、携帯端末Ａの現在のプレゼンスを示すプレゼンス情報を用いて、携帯端末Ａの現在のプレゼンスを通知するためのプレゼンス状態通知メッセージを、ネットワーク５を介して携帯端末Ｂに送信する。
【００４６】
なお、携帯端末Ａにおいてプレゼンス通知実行モードになされている場合に、プレゼンスサーバ６に携帯端末Ｂから携帯端末２の現在のプレゼンスの利用を終了するためのプレゼンス利用終了メッセージが送信された場合、図６のフローチャートに示されるように、プレゼンスサーバ６からネットワーク５を介して携帯端末Ａに、プレゼンス利用終了通知メッセージが送信され、その後、携帯端末Ａにおいてプレゼンス通知実行モードからプレゼンス通知休止モードに再び変更される。
【００４７】
以下、図４乃至図６のフローチャートを参照して説明した処理の詳細について、装置ごとに説明する。なお、以下に説明する処理においては、本発明を、例えば２つの携帯端末２（例えば携帯端末ＡとＢ）とプレゼンスサーバ６との間における処理について適用するようにしているが、このような場合に限られず、３つ以上の携帯端末とプレゼンスサーバ６との間における処理について適用するようにしてもよい。
【００４８】
図７のフローチャートを参照して、図２の携帯端末２におけるプレゼンス情報送信処理について説明する。このプレゼンス情報送信処理は、ユーザにより操作部１７（例えば携帯端末Ａの現在のプレゼンス情報を、ネットワーク５を介してプレゼンスサーバ６に登録する登録処理の開始を指示するための操作キー）が操作されることにより、携帯端末Ａの現在のプレゼンス情報を、ネットワーク５を介してプレゼンスサーバ６に登録する登録処理の開始が指示されたときに、開始される。
【００４９】
ステップＳ５１において、プレゼンス管理部１３は、ユーザにより操作部１７（例えば携帯端末Ａの現在のプレゼンス情報を、ネットワーク５を介してプレゼンスサーバ６に登録する登録処理の開始を指示するための操作キー）が操作されることにより、携帯端末Ａの現在のプレゼンス情報をネットワーク５を介してプレゼンスサーバ６に登録する登録処理を開始するとの指示が受け付けられたか否かを判定し、携帯端末Ａの現在のプレゼンス情報を、ネットワーク５を介してプレゼンスサーバ６に登録する登録処理を開始するとの指示が受け付けられたと判定するまで待機する。
【００５０】
ステップＳ５１において、携帯端末Ａの現在のプレゼンス情報をネットワーク５を介してプレゼンスサーバ６に登録する登録処理を開始するとの指示が受け付けられたと判定された場合、プレゼンス管理部１３はステップＳ５２で、携帯端末Ａの現在のプレゼンス情報を利用する他の携帯端末２（例えば携帯端末Ｂなど）の利用者の確認を要求するメッセージであるプレゼンス利用者確認要求メッセージを生成する。プレゼンス管理部１３は、生成されたプレゼンス利用者確認要求メッセージをプレゼンス通信部１２に供給する。
【００５１】
ステップＳ５３において、プレゼンス通信部１２は、プレゼンス管理部１３から供給されたプレゼンス利用者確認要求メッセージを取得し、取得されたプレゼンス利用者確認要求メッセージを通信部１１およびネットワーク５を介してプレゼンスサーバ６に送信する。
【００５２】
ステップＳ５４において、プレゼンス通信部１２は、通信部１１およびネットワーク５を介して、プレゼンス利用者確認要求メッセージに対する応答であるプレゼンス利用者確認要求メッセージを受信する。
【００５３】
このプレゼンス利用者確認要求メッセージには、携帯端末Ａの他の携帯端末２（例えば携帯端末Ｂなど）による利用状態に関する情報、すなわち、利用携帯端末Ａの現在のプレゼンス情報を利用する他の携帯端末（例えば携帯端末Ｂなど）の利用者の数などに関する情報が含まれている。
【００５４】
プレゼンス通信部１２は、受信されたプレゼンス利用者確認要求メッセージをプレゼンス管理部１３に供給する。
【００５５】
ステップＳ５５において、プレゼンス管理部１３は、プレゼンス通信部１２から供給されたプレゼンス利用者確認要求メッセージに含まれる、携帯端末Ａの他の携帯端末２（例えば携帯端末Ｂなど）による利用状態に関する情報、すなわち、利用携帯端末Ａの現在のプレゼンス情報を利用する他の携帯端末２（例えば携帯端末Ｂなど）の利用者の数などに関する情報を取得する。
【００５６】
ステップＳ５６において、プレゼンス管理部１３は、取得された携帯端末Ａの他の携帯端末（例えば携帯端末Ｂなど）による利用状態に関する情報に基づいて、プレゼンス利用状態確認部１５に管理されているプレゼンス利用状態情報１６を更新する。
【００５７】
例えばステップＳ５６におけるフラグ更新処理の前に、携帯端末Ａの他の携帯端末２（例えば携帯端末Ｂなど）による利用者数が「２」であった場合に、プレゼンスサーバ６から送信されてきたプレゼンス利用者確認応答メッセージに含まれる利用者数が「１」であるとき、プレゼンス利用状態確認部１５に管理されているプレゼンス利用状態情報１６は「２」から「１」に更新される。
【００５８】
ステップＳ５７において、プレゼンス利用状態確認部１５は、プレゼンス利用状態情報１６に基づき、現在、携帯端末Ａに対して利用する他の携帯端末２（例えば携帯端末Ｂなど）が存在するのか否かを判定する。すなわち、プレゼンス利用状態情報１６に基づき、携帯端末Ａに対してそのプレゼンス情報を利用する他の携帯端末２が少なくとも１つ以上存在するか否かが判定される）。
【００５９】
ステップＳ５７において現在、携帯端末Ａに対して利用する他の携帯端末２（例えば携帯端末Ｂなど）が存在すると判定された場合、プレゼンス利用状態確認部１５は、その確認結果（判定結果）をプレゼンス管理部１３に供給する。
【００６０】
ステップＳ５８において、プレゼンス管理部１３は、プレゼンス利用状態確認部１５から供給された確認結果に従い、プレゼンス通知に関するモードをプレゼンス通知実行モード（携帯端末Ａのプレゼンスを他の携帯端末２（例えば携帯端末Ｂなど）に通知するモード）に決定する。
【００６１】
ステップＳ５９において、プレゼンス管理部１３は、予め記憶されているプレゼンス設定情報（すなわち、プレゼンスサーバ６のＵＲＬやユーザＩＤなどのプレゼンス通信処理に必要な情報）に基づいて、新たに携帯端末Ａのプレゼンスを示すプレゼンス情報を生成する。このプレゼンス情報には、例えば位置情報、接続されているネットワークに関する情報、通信帯域情報などの種々の情報が含まれている。
【００６２】
ステップＳ６０において、プレゼンス管理部１３は、生成されたプレゼンス情報を用いて、携帯端末Ａのプレゼンス情報の登録を要求するメッセージであるプレゼンス登録要求メッセージを生成してプレゼンス通信部１２に供給する。
【００６３】
このプレゼンス登録要求メッセージには、生成されたプレゼンス情報が含まれている。
【００６４】
ステップＳ６１において、プレゼンス通信部１２は、プレゼンス管理部１３から供給されたプレゼンス登録要求メッセージを取得し、取得されたプレゼンス登録要求メッセージを通信部１１およびネットワーク５を介してプレゼンスサーバ６に送信する。
【００６５】
ステップＳ６２において、プレゼンス通信部１２は、通信部１１およびネットワーク５を介して、プレゼンス登録要求メッセージに対する応答であるプレゼンス登録応答メッセージを受信する。
【００６６】
これにより、プレゼンスサーバ６において携帯端末Ａのプレゼンスを示すプレゼンス情報が更新されたことを認識することができる。
【００６７】
ステップＳ６３において、プレゼンス管理部１３は、プレゼンスサーバ６からネットワーク５を介してプレゼンス利用終了メッセージがプレゼンス通信部１３において受信されたか否かを判定する。
【００６８】
ステップＳ６３においてプレゼンスサーバ６からネットワーク５を介してプレゼンス利用終了メッセージがプレゼンス通信部１３において受信されたと判定された場合、プレゼンス管理部１３はステップＳ６４で、プレゼンス利用状態確認部１５において管理されているプレゼンス利用状態情報１６を更新する。
【００６９】
例えば携帯端末Ａの他の携帯端末２（例えば携帯端末Ｂなど）による利用者数が「１」であった場合、プレゼンス利用状態確認部１５に管理されているプレゼンス利用状態情報１６は「１」から「０」に更新される。
【００７０】
ステップＳ６５において、プレゼンス利用状態確認部１５は、プレゼンス利用状態情報１６に基づき、現在、携帯端末Ａに対して利用する他の携帯端末２（例えば携帯端末Ｂなど）が「０」であると認識し、プレゼンス管理部１３は、現在のプレゼンス通知実行モードから、プレゼンス利用状態確認部１５から供給された確認結果に従い、プレゼンス通知に関するモードをプレゼンス通知休止モード（携帯端末Ａのプレゼンスを他の携帯端末２（例えば携帯端末Ｂなど）に通知を休止するモード）に決定する。
【００７１】
これにより、携帯端末Ａからのプレゼンス情報の登録頻度を減少させることができる。例えばユーザの好みのタイミングで操作部１７の操作キーが操作されることで携帯端末Ａのプレゼンス情報を登録するような場合に、プレゼンス状態表示管理部１８により携帯端末Ａのプレゼンスを更新する必要がない旨を示すアイコンなどを表示部１９に表示させるようにしてもよい。これにより、ユーザは、現在、携帯端末Ａに対して利用する他の携帯端末２（例えば携帯端末Ｂなど）が「０」であることから、携帯端末Ａのプレゼンスを更新する必要がない旨を知ることができる。その結果、ユーザは、このような場合には、携帯端末Ａのプレゼンスの登録指示を出さないようにすることができる。
【００７２】
なお、これらのアイコンなどを「指示情報」と定義する。
【００７３】
勿論、プレゼンス自動更新部１４により携帯端末Ａのプレゼンス情報を例えば予め設定された所定の時間（例えば１０分間など）ごとに自動的に更新する場合にも適用するようにしてもよく、この場合、プレゼンス通知休止モードに決定されると、例えばプレゼンス情報の更新処理のタイミングを所定の時間だけ遅延させるようにしてもよい。これにより、無駄なプレゼンス情報の登録処理を行わないようにすることができる。
【００７４】
一方、ステップＳ６３においてプレゼンスサーバ６からネットワーク５を介してプレゼンス利用終了メッセージがプレゼンス通信部１３において受信されていないと判定された場合、ステップＳ６４乃至Ｓ６５の処理はスキップされる。これにより、プレゼンス利用状態情報１６は更新されず、プレゼンス通知実行モードのまま維持される。
【００７５】
ステップＳ６６において、プレゼンス管理部１３は、ユーザにより操作部１７（プレゼンスサーバ６との間でプレゼンス通信処理を開始または終了を指示するための操作キー）が操作されることにより、プレゼンスサーバ６との間でプレゼンス通信処理を終了するとの指示が受け付けられたか否かを判定する。
【００７６】
ステップＳ６６においてプレゼンスサーバ６との間でプレゼンス通信処理を終了するとの指示が受け付けられていないと判定された場合、処理はステップＳ５１に戻り、ステップＳ１以降の処理が繰り返し実行される。これにより、ユーザが好みに応じて、携帯端末Ａのプレゼンスを利用する他の携帯端末２（例えば携帯端末Ｂなど）の利用数に従い、携帯端末Ａの現在のプレゼンスを登録することができる。
【００７７】
ステップＳ６６において、プレゼンスサーバ６との間でプレゼンス通信処理を終了するとの指示が受け付けられたと判定された場合、プレゼンス情報送信処理は終了する。
【００７８】
一方、ステップＳ６７において、現在、携帯端末Ａに対して利用する他の携帯端末２（例えば携帯端末Ｂなど）が存在しないと判定された場合、プレゼンス利用状態確認部１５は、その確認結果（判定結果）をプレゼンス管理部１３に供給する。
【００７９】
ステップＳ６７において、プレゼンス管理部１３は、プレゼンス利用状態確認部１５から供給された確認結果に従い、プレゼンス通知に関するモードをプレゼンス通知休止モード（携帯端末Ａのプレゼンスを他の携帯端末２（例えば携帯端末Ｂなど）に通知を休止するモード）に決定する。
【００８０】
ステップＳ６８において、プレゼンス管理部１３は、プレゼンスサーバ６からネットワーク５を介してプレゼンス利用開始メッセージがプレゼンス通信部１３において受信されたか否かを判定する。
【００８１】
ステップＳ６８において、プレゼンスサーバ６からネットワーク５を介してプレゼンス利用開始メッセージがプレゼンス通信部１３において受信されたと判定された場合、プレゼンス管理部１３はステップＳ６９で、プレゼンス利用状態確認部１５において管理されているプレゼンス利用状態情報１６を更新する。
【００８２】
例えば携帯端末Ａの他の携帯端末２（例えば携帯端末Ｂなど）による利用者数が「０」であった場合、プレゼンス利用状態確認部１５に管理されているプレゼンス利用状態情報１６は「０」から「１」に更新される。
【００８３】
ステップＳ７０において、プレゼンス利用状態確認部１５は、プレゼンス利用状態情報１６に基づき、現在、携帯端末Ａに対して利用する他の携帯端末２（例えば携帯端末Ｂなど）が「１」であると認識し、プレゼンス管理部１３は、プレゼンス利用状態確認部１５から供給された確認結果に従い、現在のプレゼンス通知休止モードから、プレゼンス通知に関するモードをプレゼンス通知実行モード（携帯端末Ａのプレゼンスを他の携帯端末２（例えば携帯端末Ｂなど）に通知を実行するモード）に決定する。
【００８４】
その後、処理はステップＳ５９に進み、ステップＳ５９以降の処理が繰り返し実行される。
【００８５】
次に、図８のフローチャートを参照して、図７のフローチャートを用いて説明したプレゼンス情報送信処理に対応する、図３のプレゼンスサーバ６におけるプレゼンス登録処理について説明する。
【００８６】
ステップＳ８１において、プレゼンスサーバ制御部２２は、通信部２１およびネットワーク５を介して、携帯端末２（例えば携帯端末Ａなど）からプレゼンス利用確認要求メッセージを受信したか否かを判定し、携帯端末２（例えば携帯端末Ａなど）からプレゼンス利用確認要求メッセージを受信したと判定するまで待機する。
【００８７】
ステップＳ８１において携帯端末２（例えば携帯端末Ａなど）からプレゼンス利用確認要求メッセージを受信したと判定された場合、プレゼンスサーバ制御部２２はステップＳ８２で、クライアント管理部２３を介し、プレゼンス利用状態管理部２４に管理されているプレゼンス利用状態管理データベース２５を参照して、携帯端末Ａに対する他の携帯端末２（例えば携帯端末Ｂなど）の利用状態に関する情報（例えば携帯端末Ａに対する他の携帯端末２（例えば携帯端末Ｂなど）の利用者数などに関する情報）を読み出す。
【００８８】
ステップＳ８３において、プレゼンスサーバ制御部２２は、読み出された携帯端末Ａに対する他の携帯端末２（例えば携帯端末Ｂなど）の利用状態に関する情報に基づいて、プレゼンス利用者確認要求メッセージに対する応答であるプレゼンス利用者確認応答メッセージを生成する。
【００８９】
プレゼンスサーバ制御部２２は、生成されたプレゼンス利用者確認応答メッセージを通信部２１に供給する。
【００９０】
ステップＳ８４において、通信部２１は、プレゼンスサーバ制御部２２から供給されたプレゼンス利用者確認応答メッセージを、ネットワーク５を介して携帯端末Ａに送信する。
【００９１】
ステップＳ８５において、プレゼンスサーバ制御部２２は、通信部２１およびネットワーク５を介して、携帯端末Ａのプレゼンス情報の登録を要求するメッセージであるプレゼンス登録要求メッセージを受信したか否かを判定し、携帯端末Ａのプレゼンス情報の登録を要求するメッセージであるプレゼンス登録要求メッセージを受信したと判定するまで待機する。
【００９２】
ステップＳ８５において、携帯端末Ａのプレゼンス情報の登録を要求するメッセージであるプレゼンス登録要求メッセージを受信したと判定された場合、プレゼンスサーバ制御部２２はステップＳ８６で、プレゼンス登録要求メッセージに含まれている携帯端末Ａの現在のプレゼンス情報を取得し、取得された携帯端末Ａの現在のプレゼンス情報をクライアント管理部２３に供給する。ステップＳ８７において、クライアント管理部２３は、プレゼンス制御部２２から供給されたた携帯端末Ａの現在のプレゼンス情報を取得し、取得されたた携帯端末Ａの現在のプレゼンス情報に基づいて、携帯端末Ａの現在のプレゼンスを登録（更新）する。
【００９３】
ステップＳ８８において、プレゼンスサーバ制御部２２は、クライアント管理部２３において携帯端末Ａの現在のプレゼンスが登録（更新）されると、プレゼンス登録要求メッセージに対する応答であるプレゼンス登録応答メッセージを生成し、生成されたプレゼンス登録応答メッセージを通信部２１に供給する。
【００９４】
ステップＳ８９において、通信部２１は、プレゼンスサーバ制御部２２から供給されたプレゼンス登録応答メッセージを、ネットワーク５を介して携帯端末Ａに送信する。
【００９５】
ステップＳ９０において、プレゼンスサーバ制御部２２は、通信部２１およびネットワーク５を介して、携帯端末Ａ以外の他の携帯端末（例えば携帯端末Ｂなど）からプレゼンス利用開始メッセージを受信したか否かを判定する。
【００９６】
ステップＳ９０において携帯端末Ａ以外の他の携帯端末（例えば携帯端末Ｂなど）からプレゼンス利用開始メッセージを受信していないと判定された場合、処理はステップＳ８１に戻り、ステップＳ８１以降の処理が繰り返し実行される。
【００９７】
一方、ステップＳ９０において携帯端末Ａ以外の他の携帯端末（例えば携帯端末Ｂなど）からプレゼンス利用開始メッセージを受信したと判定された場合、プレゼンスサーバ制御部２２はステップＳ９１で、クライアント管理部２３を介して、プレゼンス利用状態管理部２４に管理されているプレゼンス利用状態管理データベース２５を更新する。
【００９８】
例えばプレゼンス利用状態管理データベース２５において管理されている携帯端末Ａに対する他の携帯端末２（例えば携帯端末Ｂなど）の利用数が現在「０」である場合、携帯端末Ａに対する他の携帯端末２（例えば携帯端末Ｂなど）の利用数は「１」に更新される。
【００９９】
ステップＳ９２において、プレゼンスサーバ制御部２２は、受信されたプレゼンス利用開始メッセージに基づき、携帯端末Ａに対する他の携帯端末２（例えば携帯端末Ｂなど）の利用開始を通知するためのプレゼンス利用開始通知メッセージを生成する。
【０１００】
プレゼンスサーバ制御部２２は、生成されたプレゼンス利用開始通知メッセージを通信部２１に供給する。
【０１０１】
ステップＳ９３において、通信部２１は、プレゼンスサーバ制御部２２から供給されたプレゼンス利用開始通知メッセージを、ネットワーク５を介して携帯端末Ａに送信する。
【０１０２】
その後、処理はステップＳ９４に進み、ステップＳ９４乃至Ｓ１００において携帯端末Ａのプレゼンス情報登録処理が実行される。なお、ステップＳ９５乃至Ｓ９６およびステップＳ９９乃至Ｓ１００の処理は、ステップＳ８６乃至Ｓ８９の処理と基本的には同様であり、その説明は繰り返しになるので省略する。
【０１０３】
ステップＳ９７において、プレゼンスサーバ制御部２２は、登録された携帯端末Ａのプレゼンス情報に基づいて、携帯端末Ａの現在のプレゼンスを通知するためのプレゼンス状態通知メッセージを生成し、生成されたプレゼンス状態通知メッセージを通信部２１に供給する。
【０１０４】
ステップＳ９８において、通信部２１は、プレゼンスサーバ制御部２２から供給されたプレゼンス状態通知メッセージを、ネットワーク５を介して携帯端末Ａ以外の他の携帯端末２（例えば携帯端末Ｂなど）に送信する。
【０１０５】
ステップＳ１０１において、プレゼンスサーバ制御部２２は、通信部２１およびネットワーク５を介して、携帯端末Ａ以外の他の携帯端末（例えば携帯端末Ｂなど）からプレゼンス利用終了メッセージを受信したか否かを判定する。
【０１０６】
ステップＳ１０１において、携帯端末Ａ以外の他の携帯端末（例えば携帯端末Ｂなど）からプレゼンス利用終了メッセージを受信していないと判定された場合、処理はステップＳ８１に戻り、ステップＳ８１以降の処理が繰り返し実行される。
【０１０７】
一方、ステップＳ１０１において携帯端末Ａ以外の他の携帯端末（例えば携帯端末Ｂなど）からプレゼンス利用終了メッセージを受信したと判定された場合、プレゼンスサーバ制御部２２はステップＳ１０２で、クライアント管理部２３を介して、プレゼンス利用状態管理部２４に管理されているプレゼンス利用状態管理データベース２５を更新する。
【０１０８】
例えばプレゼンス利用状態管理データベース２５において管理されている携帯端末Ａに対する他の携帯端末２（例えば携帯端末Ｂなど）の利用数が現在「１」である場合、携帯端末Ａに対する他の携帯端末２（例えば携帯端末Ｂなど）の利用数は「０」に更新される。
【０１０９】
ステップＳ１０３において、プレゼンスサーバ制御部２２は、プレゼンス利用状態管理データベース２５に管理されている携帯端末Ａに対する他の携帯端末２（例えば携帯端末Ｂなど）に利用数が「０」であると認識されると、現在のプレゼンスを通知するためのプレゼンス利用終了通知メッセージを生成し、生成されたプレゼンス利用終了通知メッセージを通信部２１に供給する。
【０１１０】
ステップＳ９８において、通信部２１は、プレゼンスサーバ制御部２２から供給されたプレゼンス利用終了通知メッセージをネットワーク５を介して携帯端末Ａに送信する。
【０１１１】
その後、処理はステップＳ８１に戻り、ステップＳ８１以降の処理が繰り返し実行される。
【０１１２】
次に、図９のフローチャートを参照して、図８のフローチャートを用いて説明したプレゼンス情報登録処理に対応する、図２の携帯端末Ａ以外の他の携帯端末２（例えば携帯端末Ｂなど）におけるプレゼンス情報受信処理について説明する。
【０１１３】
ステップＳ１１１においてプレゼンス管理部１３にてプレゼンスの利用を開始をするとの指示が受け付けられたか否かが判定され、プレゼンスの利用を開始をするとの指示が受け付けられたと判定された場合、プレゼンス管理部１３はステップＳ１１２で、プレゼンス利用開始メッセージを生成し、ステップＳ１１３においてプレゼンス通信部１２はプレゼンス利用開始メッセージを送信する。ステップＳ１１４において、プレゼンス１２はプレゼンス状態通知メッセージをプレゼンスサーバ６から受信する。これにより、携帯端末Ａの現在のプレゼンスを認識することができる。
【０１１４】
ステップＳ１１５において、プレゼンス管理部１３にてプレゼンスの利用を終了をするとの指示が受け付けられたか否かが判定され、プレゼンスの利用を終了をするとの指示が受け付けられたと判定された場合、プレゼンス管理部１３はステップＳ１１６で、プレゼンス利用終了メッセージを生成し、ステップＳ１１７においてプレゼンス通信部１２はプレゼンス利用終了メッセージを送信する。
【０１１５】
その後、処理はステップＳ１１１に戻り、ステップＳ１１１以降の処理が繰り返し実行される。
【０１１６】
本発明の実施形態においては、プレゼンスサーバ６との間でプレゼンス通信処理を行う携帯端末２は、プレゼンス情報登録処理を開始する際に、プレゼンス利用者確認要求メッセージを生成し、生成されたプレゼンス利用者確認要求メッセージを、ネットワーク５を介してプレゼンスサーバ６に送信することができる。
【０１１７】
また、携帯端末２は、ネットワーク５を介してプレゼンスサーバ６からプレゼンス利用者確認応答メッセージを受信し、受信され多プレゼンス利用者確認応答メッセージからプレゼンス利用者状態に関する情報を取得するとともに、取得されたプレゼンス利用者状態に関する情報に基づいてプレゼンス利用状態情報１６を更新することができる。
【０１１８】
その後、更新されたプレゼンス利用状態情報１６に基づいて、携帯端末２に対して利用する他の携帯端末２が存在するか否かを判定し、携帯端末２に対して利用する他の携帯端末２が存在しないと判定された場合、プレゼンス通知休止モードに決定するとともに、携帯端末２のプレゼンス情報の登録処理を行わないようにすることができる。
【０１１９】
さらに、その後、プレゼンスサーバ６からプレゼンス利用開始メッセージまたはプレゼンス終了メッセージを受信すると、プレゼンス通知休止モードまたはプレゼンス通知実行モードに再決定するとともに、プレゼンス利用状態情報１６を更新することができる。
【０１２０】
これにより、無駄なプレゼンス情報の登録処理を防止しつつ、プレゼンス情報の登録処理（更新処理）を効率的に行うことができ、プレゼンス情報の登録処理を好適に行うことができる。その結果、プレゼンスサーバ６との間でプレゼンス通信処理を行う携帯端末２における負荷を減少させることができる。
【０１２１】
ところで、予め、携帯端末２の例えばプレゼンス管理部１３に例えば図１０［Ａ］および［Ｂ］に示されるアドレス帳情報およびプレゼンス通知設定情報を保持（記憶）しておき、プレゼンスサーバ６から送信されてきたプレゼンス利用者確認応答メッセージに含まれるプレゼンス利用状態に関する情報に基づいて、携帯端末２（自端末ＳＩＰ（Session Initiation Protocol）アドレス「sip:user@example.co.jp」）に対して複数の他の携帯端末２がそのプレゼンス情報の利用をしていると判定された場合、図１０［Ａ］および［Ｂ］に示されるアドレス帳情報およびプレゼンス通知設定情報を参照して、グループごとにプレゼンスを通知したり、あるいは通知しなかったりするようにしてもよい。
【０１２２】
例えば図１０［Ａ］に示されるアドレス帳情報の場合、名前「太郎」により識別されるユーザが所有する携帯端末２は、「グループＡ」に属し、ＳＩＰアドレスが「sip:taro@aaa.co.jp」であることを示しており、名前「次郎」により識別されるユーザが所有する携帯端末２は、「グループＡ」に属し、ＳＩＰアドレスが「sip:jiro@bbb.ne.jp」であることを示しており、名前「花子」により識別されるユーザが所有する携帯端末２は、「グループＢ」に属し、ＳＩＰアドレスが「sip:hanako@ccc.ne.jp」であることを示している。
【０１２３】
勿論、このアドレス帳情報には、メールアドレスや電話番号なども対応付けて記憶するようにしてもよい。
【０１２４】
また、例えば図１０［Ｂ］に示されるプレゼンス通知設定情報の場合、グループＡに属する携帯端末２に関しては、プレゼンスの利用者であるとき、プレゼンスが通知されるが、グループＢおよびＣに属する携帯端末２に関しては、プレゼンスの利用者であっても、プレゼンスが通知されない。
【０１２５】
これらのプレゼンス通知をするのか、あるいは、通知しないのかについてのプレゼンス通知設定情報は、ユーザの好みに応じて操作部１７が操作されることで、設定することができる。勿論、適宜、変更するようにしてもよい。
【０１２６】
この場合、プレゼンスサーバ６においては、例えばプレゼンス利用状態管理データベース２５で携帯端末２ごとのＳＩＰアドレスも対応付けて登録して管理する。そして、図８のステップＳ８４の生成処理において生成されたプレゼンス利用者確認応答メッセージに、例えば図１１［Ａ］に示されるように、現在プレゼンスの利用をしている端末のＳＩＰアドレスを含まるようにする。
【０１２７】
例えば図１１［Ａ］の場合、複数の“From”行で記述することで、プレゼンス利用者確認応答メッセージに、現在プレゼンスの利用をしている端末のＳＩＰアドレスを含まるようにする。勿論、複数の“From”行で記述する以外にも、プレゼンス利用者確認応答メッセージのＢｏｄｙ部分に記述するようにしてもよい。
【０１２８】
これにより、プレゼンス情報をプレゼンスサーバ６に送信する携帯端末２において、図７のステップ４においてプレゼンス利用者確認応答メッセージを受信すると、受信されたプレゼンス利用者確認応答メッセージに含まれる現在プレゼンスの利用をしている端末のＳＩＰアドレスに基づいてプレゼンス管理部１３に予め記憶されているアドレス帳情報を検索し、端末ごとのグループを取得し、取得されたグループに対応するプレゼンス通知設定情報を読み出す。
【０１２９】
このとき、読み出されたプレゼンス通知設定情報に基づいて、プレゼンス通知をするのか、あるいは、通知しないのかを判定することができる。そして、その判定結果に基づいて、プレゼンス通知の設定が「あり」のグループに属するときには、プレゼンス通知実行モードに設定され、図７に示されるようにプレゼンスの通知がなされる。すなわち、携帯端末２の現在のプレゼンス情報がプレゼンスサーバ６に送信される。
【０１３０】
このとき、図７のステップＳ６０の処理により生成されたプレゼンス登録要求メッセージは、例えば図１１［Ｂ］に示される。
【０１３１】
一方、その判定結果に基づいて、プレゼンス通知の設定が「なし」のグループのみに属するときには、プレゼンス通知休止モードに決定され、図７に示されるようにプレゼンスの通知がなされず、携帯端末２の現在のプレゼンス情報はプレゼンスサーバ６に送信されない。なお、この場合のプレゼンス利用者確認応答メッセージは、例えば図１１［Ｃ］に示される。
【０１３２】
従って、プレゼンス情報を利用する携帯端末２ごとにプレゼンス通知に関するモードを予め設定することができるとともに、その都度、その設定に基づいてプレゼンス通知に関するモードを切り替えることができる。その結果、無駄なプレゼンス情報の登録処理をより防止しつつ、プレゼンス情報の登録処理（更新処理）をより効率的に行うことができ、プレゼンス情報の登録処理をより好適に行うことができる。その結果、プレゼンスサーバ６との間でプレゼンス通信処理を行う携帯端末２における負荷をより減少させることができる。
【０１３３】
なお、本発明は、携帯端末２以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０１３４】
また、本発明の実施形態において説明した一連の処理は、ソフトウェアにより実行させることもできるが、ハードウェアにより実行させることもできる。
【０１３５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１３６】
【図１】本発明に係るネットワークシステムの概略的な構成を示すネットワーク図。
【図２】図１の携帯端末の内部の構成を示すブロック図。
【図３】図１のプレゼンスサーバの内部の構成を示すブロック図。
【図４】図２の携帯端末および図３のプレゼンスサーバとの間における概略的な処理を説明するフローチャート。
【図５】図２の携帯端末および図３のプレゼンスサーバとの間における他の概略的な処理を説明するフローチャート。
【図６】図２の携帯端末および図３のプレゼンスサーバとの間における概略的な処理を説明するフローチャート。
【図７】図２の携帯端末におけるプレゼンス情報送信処理を説明するフローチャート。
【図８】図３のプレゼンスサーバにおけるプレゼンス情報登録処理を説明するフローチャート。
【図９】図２の携帯端末におけるプレゼンス情報受信処理を説明するフローチャート。
【図１０】図２のプレゼンス管理部に予め記憶されているアドレス帳情報およびプレゼンス通知設定情報の構成例を示す図。
【図１１】図３のプレゼンスサーバから送信されるプレゼンス利用者確認応答メッセージ、および図２の携帯端末から送信されるプレゼンス登録要求メッセージの構成例を示す図。
【符号の説明】
【０１３７】
１…ネットワークシステム、２…携帯端末、３…基地局、４…アクセスポイント、５…ネットワーク、６…プレゼンスサーバ、１１…通信部、１２…プレゼンス通信部、１３…プレゼンス管理部、１４…プレゼンス自動更新部、１５…プレゼンス利用状態確認部、１６…プレゼンス利用状態情報、１７…操作部、１８…プレゼンス状態表示管理部、１９…表示部、２１…通信部、２２…プレゼンスサーバ制御部、２３…クライアント管理部、２４…プレゼンス利用状態管理部、２５…プレゼンス利用状態管理データベース。
【図１】
2008197843.tif 000003
【図２】
2008197843.tif 000004
【図３】
2008197843.tif 000005
【図４】
2008197843.tif 000006
【図５】
2008197843.tif 000007
【図６】
2008197843.tif 000008
【図７】
2008197843.tif 000009
【図８】
2008197843.tif 000010
【図９】
2008197843.tif 000011
【図１０】
2008197843.tif 000012
【図１１】
2008197843.tif 000013